Podtech/llm-jp-corpus-v4-ja_patent huggingface dataset:
(57)【要約】      （修正有）【課題】片手でも靴下の脱ぎ着ができ、はき口を自由に調節して足首のむくみを解消すること。【解決手段】片手でも簡単に脱ぎ着ができ、また、左右どちらでも使用でき、止め方向が外側と内側の両方に使用する。そして、血流を止めないようはき口を広くし脱着テープやその他の留め具を付け、足首の締め付けを調節する。【選択図】図５
2007113144.tif 000002
【特許請求の範囲】
【請求項１】
靴下の底になる部分の緑を一回り縫うかあるいは、靴下の底になる部分の一枚の布と靴下本体になる部分とを縫い合わせ、底を固定した形を作り足の甲よりやや外側（内側）から斜めにつま先に向かって切り開き同様に足首に向かってはき口まで切り開き、切り開いた部分の一方に別布を付けるかあるいは、最初から編み足して靴下のはき口を広くし、脱着テープやその他の留め具を付け、足首を調節できるようにし、更に靴下の底に滑り止めを付けた構造を持つ靴下。
【発明の詳細な説明】
【技術分野】
【０００１】
この発明は高齢者、病気や怪我、あるいは身体的な衰えなどによって靴下の脱ぎ着が自力では困難な状況の人でも自力で容易に靴下の脱ぎ着ができることを可能にした介護用靴下である。
【背景技術】
【０００２】
従来の靴下は両手を使わないと着用が困難であったため、介護者、被介護者が衣服の着替えをするのに容易ではなかった。
【０００３】
身体的な状況によっては困難とされていた靴下の脱ぎ着、且つ被介護人の足首のわずかな締め付けでも、血液の流れが阻止され、足にむくみを生じる場合がある。
【発明の開示】
【発明が解決しようとする課題】
【０００４】
この発明は高齢者、病気や怪我、あるいは身体的衰えなどによって、手足の不自由な人でも片手で簡単に靴下の脱ぎ着ができ、足先を保温したり保護するための靴下で、足にむくみを生じないように足首の締め付けの緩和を図り、しかも歩行時に滑りにくい靴下を提供することを目的とする。
【課題を解決するための手段】
【０００５】
上記の目的を達成するためにこの発明は、自力で靴下の脱ぎ着が困難な人が自分の力で脱ぎ着ができ、足首の部分に脱着テープやその他の留め具を付け、足首の締め付けを調節できるように工夫し、また歩行時の滑り止めとして靴下の底にフエルトや皮、ゴム、ポリウレタンなどを付ける。
【発明の効果】
【０００６】
この発明の介護用靴下は、寝ている時や日常の生活での足の冷えを解消すると共に、被介護人自身の力で脱ぎ着ができることにより自立の手助けにつながり、且つ容易に履き替え可能になることにより、介護人や被介護人の負担を軽減させることが出来るという優れた効果を提供するものである。
【発明を実施するための最良の形態】
【０００７】
上記課題を達成するために、本発明の介護用靴下の実施の形態を図面に基づいて説明する。
【０００８】
図1は基本的な形態を示し、図2、図3、図4、図5、図6、図7は実施形態をそれぞれ示す。
【０００９】
綿、毛、皮、レーヨン、ポリエステル、等の靴下に適した素材を用い、図2のように靴下の底になる部分の縁を一回り縫うかあるいは、靴下の底になる部分の一枚の布と靴下本体になる部分の布とを縫い合わせる。そうすることにより靴下の底が固定する。
【００１０】
図3に示すように足の甲よりやや外側（内側）から斜めに足首まで切り開く。
【００１１】
図4の1から2の部分に別布（A）を5から6の部分をつなぎ合わせて縫い、靴下のはき口を広くする
【００１２】
図5のようにこの靴下を最初から編む場合は、従来の靴下の編み方で、つま先から足の甲まで編み、そこからは甲の中心部より外側（内側）に重ね合わさるように重ね口を付ける。
【００１３】
次に図6の7から8の部分の内側に脱着テープなどの留め具を付ける。また、図5の3から4の外側にも同様に脱着テープなどの留め具を付ける。
【００１４】
図7に示すように靴下の底になる部分のつま先と土踏まずの間、かかとにフエルトや皮、ゴム、ポリウレタンの、滑りにくい素材のものを付け滑り止めにする。
【図面の簡単な説明】
【００１５】
【図１】この発明の一実施形態を示した平面図である。
【図２】靴下の底の部分を一回り縫った状態を示した平面図である。
【図３】
【図４】靴下のはき口を広げる方法を示した立体図である。
【図５】編み込み式の靴下の立体図である。
【図６】靴下の脱着箇所を示した立体図である。
【図７】靴下の底に滑り止めを付けた状態を示した平面図である。
【符号の説明】
【００１６】
１  ２  ３  ４は切り開く部分
５  ６  ７  ８  Aは付け足す布
【図１】
2007113144.tif 000003
【図２】
2007113144.tif 000004
【図３】
2007113144.tif 000005
【図４】
2007113144.tif 000006
【図５】
2007113144.tif 000007
【図６】
2007113144.tif 000008
【図７】
2007113144.tif 000009
(57)【要約】【課題】従来の粘土瓦、セメント瓦に変わる、軽量性、断熱性、耐火性に優れ、簡単な構成により容易に形を形成できる省エネ瓦を提供する。【解決手段】軽量かつ強度の高い素材を用い、空間をハニカム状、または、トラス状に仕切ることで、力の圧力を分散し強度を増加させ、中身が中空になることにより軽量化を実現し、筒状になっている部屋どうしを、穴でつなげることにより、空気を動かし、瓦の膨張を防ぎ、破損、放熱、断熱効果を高める。【選択図】図１
2007113181.tif 000002
【特許請求の範囲】
【請求項１】
瓦の素材にはメラミン樹脂(熱硬化性樹脂)を使用し、その特徴は耐火、耐寒、耐衝撃に優れ、また、酸性雨、紫外線などに強固に対応する表面処理を施した従来の粘土瓦、セメント瓦に変わる軽量省エネ瓦である。
【請求項２】
構造体には、ハニカム構造（図3下）、または、トラス構造（図3上）を用い、瓦の内部を数個を連続部屋状に造作し、それぞれの側壁面が瓦の表面と裏面とを連続して支えとなっているため、外部からの圧力や衝撃に耐え得る強度を保ち、破損の極めて少ない経済的な軽量省エネ瓦である。
【請求項３】
瓦の内部は、蜂の巣状、または、トラス状の空洞になっていて、構造体の各部屋内部に穴をあけてつなげることにより、空気が流れ、夏は太陽熱など高熱を家屋内に伝導するのを遮断し、冬は家屋内の暖房した温熱を、外部に逃さないため、その地域の風土により形状、気候の状況、その他の用途によって、使い分けを可能とした夏、冬、年間通しての、冷暖房を助成する経済的な軽量省エネ瓦である。
【発明の詳細な説明】
【背景技術】
【０００１】
【特許文献１】特開２００３−１４７９０９号公報
【図面の簡単な説明】
【０００２】
【図１】立体図
【図２】平面図
【図３】正面図
【図１】
2007113181.tif 000003
【図２】
2007113181.tif 000004
【図３】
2007113181.tif 000005
(57)【要約】【課題】従来の木材でできた床、壁、天井などに使われる下地材に変わる軽量性、断熱性に優れ、簡単な構成により容易に形を形成できる軽量省エネ下地材を提供する。【解決手段】軽量かつ強度の高い素材を用い、空間をハニカム状、または、トラス状に仕切ることで、力の圧力を分散し強度を増加させ、中身が中空になることにより軽量化を実現し、筒状になっている部屋どうしを、穴でつなげることにより、空気が流れ、下地材の膨張を防ぎ、破損、放熱、断熱効果を高める。【選択図】図１
2007113182.tif 000002
【特許請求の範囲】
【請求項１】
下地材の素材にはメラミン樹脂(熱硬化性樹脂)を使用し、その特徴は、耐火、耐寒、防腐、防湿、破損などに強固に対応する軽量省エネ下地材である。
【請求項２】
構造体には、ハニカム構造（図3下）、または、トラス構造（図3上）を用い、下地材の内部を数個を連続部屋に造作し、それぞれの側壁面が下地材の表面と裏面とを連続して支えとなっているため、外部からの圧力や衝撃に耐え得る強度を保ち、破損の極めて少ない経済的な軽量省エネ下地材である。
【請求項３】
下地材の内部が蜂の巣状、または、トラス状の空洞になっていて、構造体の各部屋内部に穴を開けつなげることにより、空気が流れ、夏は外気の高熱を家屋内に伝導するのを遮断し、冬は家屋内の暖房した温熱を、外部に逃さないため、その地域の風土により形状、気候の状況、その他の用途によって、使い分けを可能とした夏、冬、年間通しての、冷暖房を助成する経済的で、従来の下地材に変わる軽量省エネ下地材である。
【発明の詳細な説明】
【背景技術】
【０００１】
【特許文献１】特開２００５−２８１９７９号公報
【図面の簡単な説明】
【０００２】
【図１】立体図
【図２】平面図
【図３】平面図
【図１】
2007113182.tif 000003
【図２】
2007113182.tif 000004
【図３】
2007113182.tif 000005
(57)【要約】【課題】  ヘルメット装着時の不快感と髪の毛の乱れを防止する。【解決の手段】  ヘルメットと頭部全体の面接触を突起部分の面接触にする。また、突起部分の高さによってヘルメットと頭部に空気層が出来て通気性が良くなる、そのため頭部が蒸れたりせず快適になり髪の毛の乱れを防止する。また、突起部分は頭部を指で押しているような感触で指圧効果よって心地よく頭部が痒くなってもヘルメットを揺すれば痒みを抑制できる。【選択図】図１
2007113159.tif 000002
【特許請求の範囲】
【請求項１】
ヘルメットの内側に突起部分をつくりヘルメットを装着したときはその突起部分によってヘルメットを支える構造。
【請求項２】
請求項１の突起部分は衝撃を吸収する構造。
【請求項３】
請求項１の突起部分は脱着出来る構造。
【発明の詳細な説明】
【技術分野】
【０００１】  本発明は、ヘルメットの内部構造に関するものである。
【背景技術】
【０００２】  ヘルメットを装着していると頭部の熱と汗で蒸れるのを防ぐためには通気性を良くし密着部分の面積を少なくすることが必要である。【０００３】  ヘルメットの内側に空気の流れが出来るような道を作り通気を良くする。
【発明の開示】
【発明が解決しようとする課題】
【０００４】  ヘルメットを装着したときの頭部の熱と汗で蒸れるのを防ぐ。【０００５】  ヘルメットを長時間装着したときの髪型の乱れを防ぐ。【０００６】  ヘルメットを装着していて頭部が痒くなったときの痒みを緩和する。【０００７】  ヘルメットを装着していて衝撃を受けたときは衝撃を緩和する。【０００８】  本発明は、以上のようないろいろな問題を解決するのが目的である。
【課題を解決するための手段】
【０００９】  ヘルメットの内部構造を頭部全体の面接触から突起部分の面接触にする。また、突起部分は指で頭を軽く押すような感触なので頭部が痒くなってもヘルメットを軽く揺すれば痒みを緩和すことが出来る。【００１０】  突起部分の高さによって空気層ができ熱と汗を発散させ通気性が良くなる。また、髪型の乱れを防ぐ。【００１１】  突起部分は発泡スチロール等で出来ていて衝撃を受けたときに衝撃を吸収し緩和する。
【発明の効果】
【００１２】  ヘルメットと頭部の密着部分が少なくなるので汗によるベタベタ感を防ぐことが出来る。【００１３】  ヘルメットと頭部の間に空間が多くなるので通気性が良くなり汗を蒸発させるため頭部の蒸れを防ぐことが出来る。また、オートバイや自転車など風をきって走ればさらにヘルメット内の通気が良くなる。【００１４】  突起部分の高さと形状と大きさによってヘルメット装着による髪の毛の崩れをある程度防ぐことが出来る。【００１５】    突起部分の形状と材質によって頭部に心地よい刺激を与えることによって指圧効果がある。また、ヘルメットを装着していて頭部が痒くなったときヘルメットを前後左右にずらすことによって突起部分で頭部の痒みを緩和する。【００１６】  突起部分は衝撃を受けたときには最初に衝撃を吸収し頭部を保護する。
【発明の実施するための最良の形態】
【００１７】  以下、本発明の実施の形態を図１〜図７に基づいて説明する。
【００１８】  図１はヘルメットを装着しているときの横向きの断面のイメージ図で突起部分３Ｔと頭部の接触部分が面接触してヘルメットを支えている。また、頭部の髪の毛４Ｋの生え際はヘルメットの内部の衝撃吸収部分２ＨＨには接触していないので髪の毛が乱れない。
【００１９】  突起部分３Ｔが面接触している部分だけ髪の毛Ｋ４の乱れが生じるがヘルメットの内部の衝撃吸収部分２ＨＨには接触していない部分の面積が多いので髪の毛４Ｋがあまり乱れない。
【００２０】  頭部５Ａとヘルメットの内部の衝撃吸収部分２ＨＨの間は空気層になっているので通気性が良くなり汗を蒸発させるため頭部の蒸れを防ぐことが出来る。
【００２１】  突起部分３Ｔは材質や構造によって頭部に心地よい刺激を与えることによって指圧効果がある。また、頭部が痒くなったらヘルメットを前後左右にずらすことによって突起部分３Ｔが頭部の痒みを緩和する
【００２２】  図２はヘルメットを装着しているときの前向きの断面のイメージ図で、図３から図６は突起部分の構造をいろいろなタイプで表しました。
【００２３】  図３は中が詰まっている突起部分６Ｔの断面のイメージ図で材質は発泡スチロール等で衝撃を吸収する。また、マジックテープ等で脱着が可能である。
【００２４】  図４は中空の開放状態の突起部分の断面のイメージ図で材質は発泡スチロール等で衝撃を吸収する。
【００２５】  図５は中空の密閉状態の突起部分の断面のイメージ図で材質はゴム等で中に空気等が密閉されていて衝撃を吸収する。また、マジックテープ等で脱着が可能である。
【００２６】  図６はヘルメット内部の衝撃吸収自体が突起部分の断面のイメージ図です。
【００２７】  図７は図３の突起部分６Ｔを上から見た時の断面のイメージ図です。
【図面の簡単な説明】
【００２８】
【図１】  ヘルメットを装着しているときの横向きの断面のイメージ図
【図２】  ヘルメットを装着しているときの前向きの断面のイメージ図
【図３】  中が詰まっている突起部分の断面のイメージ図
【図４】  中空の開放状態の突起部分の断面のイメージ図
【図５】  中空の密閉状態の突起部分の断面のイメージ図
【図６】  ヘルメット内部の衝撃吸収自体が突起部分の断面のイメージ図
【図７】  突起部分を上から見た時の断面のイメージ図
【符号の説明】
【００２９】  １Ｈ        ヘルメットの外側の硬い部分
２ＨＨ      ヘルメットの内部の衝撃吸収部分
３Ｔ        突起部分
４Ｋ        髪の毛
５Ａ        頭部
６Ｔ        突起部分
７Ｔ        突起部分
８Ｔ        突起部分
１０Ｔ      突起部分
【図１】
2007113159.tif 000003
【図２】
2007113159.tif 000004
【図３】
2007113159.tif 000005
【図４】
2007113159.tif 000006
【図５】
2007113159.tif 000007
【図６】
2007113159.tif 000008
【図７】
2007113159.tif 000009
(57)【要約】【課題】  手の荒れがちな人、及び手のあれを気にする人が、家具や書棚、バック等のほこりの掃除の際、手袋の表面及び内側に用いた布の作用により、手あれなどを、気にしないで汚れを取り除く用具を提供する。【解決手段】  手袋の内側に、手のあれを防ぐため、綿を主体とした布、及び汗を吸収する機能を持つ布を使用して、手を自由に動かせるようにする。また手袋の表面に布製のほこり取りの機能を持った布を全体に貼り付けて、家具や棚等こまかい所も含めて、手あれを気にせずに、使いやすく、簡単に汚れを除去することを特徴とする用具。【選択図】図１
2007113160.tif 000002
【特許請求の範囲】
【請求項１】
手の荒れている人や、手荒れが気になる人のために、手袋の内側に、綿を主体とした、手に優しい布並びに、汗を吸収する布を用いることにより手を使いやすくして、さらに手袋の表面にほこり取り用の繊毛および布をつけて、手袋全体で家具や、書棚、床の間等細かい所も含めて汚れを取り除く際に使用する用具。
【発明の詳細な説明】
【技術分野】
【０００１】  本発明は、家具や、書棚、廊下、畳などのほこりや汚れを取り除く際、手のあれを防ぐために、手袋の内側に、手に優しい布や、汗を吸収する布を用いることにより、手が自由に動かせるため、直接手が触れることなく、さらに、手袋の表面にほこり取りの機能を持たせることにより、手軽にしかも細かい所まで、拭き取ることに関するものである。
【背景技術】
【０００２】  従来、家の中のほこり等で、たたみや廊下、家具や書籍、床の間や置物、アルミサッシの細かいところ等全てにわたって、掃除をする場合、手の荒れがちな人や、手のあれを気にする人は、ゴム手袋等をはめて雑巾を握って拭いていたが、狭いところ等拭取ときに、手が自由にならないため、難しかった。また手袋内に、汗がたまるため、そのため滑ったりして、思うように手が動かなかった。更に、手のあれが気になったりして、細かいところ等を、拭取ることは、スムーズな作業がしにくく、よごれも思うように取れなかった。
【発明の開示】
【発明が解決しようとする課題】
【０００３】  そのために次のような問題点があった。  狭いところ等含めてこれを掃除機で取ろうとしてもうまくいかないし、自由に操作することが難しかった。またゴム手袋等をはめているため、汗で指先などが、こすれたり、滑ったりするため、雑巾を握って掃除をする場合、手のあれなどが気になって、細かいところは、どうしてもスムーズな拭取りが出来なかった。本発明は以上の問題点を解決しようとするものである。
【課題を解決するための手段】
【０００４】  両手袋の内側には、手あれ防止のための、手に優しい木綿の生地を主体とし、さらに汗を吸収しやすい布を使い、表側には布製のほこり取りの機能を持った布を全体に貼り付け、また裏側に繊毛を付けることにより、ほこりを取り除いたものを、外に落ちぬくくして、家具等を雑巾やモップで拭くのとまったく同じようにする。以上を特徴とする掃除用具である。
【発明の効果】
【０００５】  本発明は家具等の掃除に当たり、手の荒れている人や、手のあれを気にする方が、本掃除用の手袋をはめることにより、手のひらが自由になるため、簡単に出来ることや、物を片付けながら掃除が出来る。更に手のひら全体が使えることにより、細かいところや、狭いところ、また一つ一つ固体となっている物など自由にしかも、使いやすく、書籍などをかたずけながら、簡単にほこり等が取れる。したがって、従来の雑巾をにぎって実施するものと比較して、手のあれを気にせず、しかも汗を吸収するため、使いやすく、効率的であり、自由さや、手軽さに格段の差があります。
【発明を実施するための最良の形態】
【０００６】  以下本発明の実施の形態を説明する。
（イ）手袋の内側に、手にやさしいい、綿を主体とした生地、及び汗を吸収しやすい布を使用して、手あれを気にせず、手を使い廉くさせ、手のひらが、自由に機能することが出来るようにする。（２）（３）
（ロ）手袋が裏表なく、ひとつの手袋で裏でも表でも使用出来るようにしておく。（１）（４）
（ハ）手袋の表面にほこり取りの機能を持たせ、裏側に繊毛を使用することにより、ほこり等の除去を効率的に遂行することを可能にする。（１）（４）
（二）使用に当たっては、手袋を左右にはめて、左手、右手で繊毛の部分と、ほこり取りの布の部分とで汚れを取る。（１）（４）
本発明は以上のような構成により成っている。本発明を使用するときは、手のひらと、手袋内部との一体性を重視して、上記の手袋の機能を、充分に発揮させる。このためため、手首及び、手のひらで、モップなどで、全体を掃除するという考え方で使用する。また使用後は洗濯をして、何回でも使用可能な状態として、手あれを防止する。
【図面の簡単な説明】
【０００７】
【図１】本発明の斜視図（表）
【図２】本発明の斜視図（裏）
【符号の説明】
【０００８】    １  表面に汚れを除去する性質を持つ布を貼り付ける
２  内側に綿を主体とした布、ならびに汗を吸収する布を用いる
３  内側に綿を主体とした布、ならびに汗を吸収する布を用いる
４  表面に繊毛を貼り付ける
【図１】
2007113160.tif 000003
【図２】
2007113160.tif 000004
(57)【要約】【課題】洗顔時、着脱が簡単であり、小型で動作のじゃまにならなくて、水滴や石鹸の泡で着衣が濡れたり汚れたりしない洗顔用ミニエプロンを提供することにある。【解決手段】略四角形に形成され、上部側を首のラインに沿って湾曲させた本体部Ａとその湾曲部１に首に着脱自在なカチューシャタイプの支持部Ｂとを備え、防水性のある樹脂材で一体成型されている。なお、支持部Ｂ全体と本体部Ａの周縁２とは、吸水性のある材質で覆っておく。【選択図】  図３
2007113139.tif 000002
【特許請求の範囲】
【請求項１】
防水性のある材質で、着衣の襟から胸部を覆う大きさの略四角形に形成され、上部側を首のラインに沿って湾曲させた本体部と、その湾曲部に口を手で広げて首に着脱自在なカチューシャタイプの支持部とを備えることを特徴とする洗顔用ミニエプロン。
【請求項２】
本体部と支持部とは、防水性のある樹脂材により構成され、支持部を首に装着した時に、本体部が胸部にそうように立体形状に一体形成されていることを特徴とする請求項１記載の洗顔用ミニエプロン。
【請求項３】
吸水性のある材質を用いて、本体部の周縁とカチューシャタイプの支持部全体を覆うようにした請求項１又は２記載の洗顔用ミニエプロン。
【発明の詳細な説明】
【技術分野】
【０００１】
本発明は、洗顔時に着衣の襟や胸元が濡れるのを防止するための洗顔用ミニエプロンに関する。
【背景技術】
【０００２】
洗顔時、水滴や石鹸の泡で、着衣の襟や胸元を濡らすことがあり、首にタオル等を巻いて防ぐことが多かった。そこで、吸水性の高い素材を用いて、台形に形成された本体と本体上部に、首に巻きつけ出来るベルトと本体下部に腰に巻き付け出来る下部ベルトが設けられている洗顔エプロンが存在する。
【特許文献１】特開２００２−３０９４１８号公報
【発明の開示】
【発明が解決しようとする課題】
【０００３】
しかしながら、特許文献１においては、首元から腰部まで覆う大型なものであり、更に、首と腰部にベルトを巻きつける必要があるので、手間がかかり面倒なことがある。
【０００４】
本発明の課題は、洗顔時、着脱が簡単であり、小型で動作のじゃまにならなくて、水滴や石鹸の泡で着衣が濡れたり汚れたりしない洗顔用ミニエプロンを提供することにある。
【課題を解決するための手段】
【０００５】
本発明は、着衣の襟から胸部を覆う大きさの略四角形に形成され、上部側を首のラインに沿って湾曲させた本体部と、その湾曲部に口を手で広げて、首に着脱自在なカチューシャタイプの支持部とを備えている。
【０００６】
また、本体部と支持部とは、防水性のある樹脂材であり、カチューシャタイプの支持部を首に装着した時に、本体部が胸部にピッタリそうように立体形状に形成し、本体部と支持部とを一体成型している。
【０００７】
更に、本発明は、吸水性のある材質を用いて、カチューシャタイプの支持部全体と本体部の周縁とを、覆うように作製している。それにより、洗顔時、顎から首部へたれる水滴は、支持部で吸収し、本体部の防水性のある樹脂材についた水滴や石鹸の泡は、本体部の周縁で流れ落ちるのを吸収するようにしている。
【発明の効果】
【０００８】
本発明の洗顔用ミニエプロンでは、首にはめる部分が、カチューシャタイプで、口を手で引っぱって容易に広げ、首にはめ込む構造になっており、洗顔時に、カチューシャのように首に簡単に着脱できるので、忙しい時、面倒でなく非常に便利であり、また、小型なので洗顔時の動作のじゃまにならない。
【０００９】
吸水性のある材質（例えば、タオル）を用いて、支持部全体を覆っていることで、洗顔時、顎から首部へたれる水滴を吸収し、また、本体部周縁を覆っていることで、本体部の防水性のある樹脂材についた水滴や石鹸の泡が、流れ落ちるのを吸収して、着衣が濡れるのを防ぐ事が出来る。そのため、濡れた着衣を着替えたりする必要がなくなり、朝、出掛ける時等に、非常に便利である。しかも、支持部全体を覆っていることで、クッション効果になり装着したとき首が痛くない。汚れた時は、簡単に拭け、また、丸洗いもできる洗顔用ミニエプロンを提供できる。
【発明を実施するための最良の形態】
【００１０】
以下、本発明の実施形態を図面を参照しながら説明する。
【００１１】
図１に示すように、図示の形態の洗顔用ミニエプロンは、防水性のある樹脂材（例えば、ポリプロピレン）を用いて、着衣の襟から胸部を覆う大きさの略四角形に形成され、その上部側を首のラインに沿って湾曲させた本体部Ａと、その湾曲部１に口を手で引っぱって広げて、首に着脱自在なカチューシャタイプの支持部Ｂとを備えて構成されている。
【００１２】
図２は、図１の洗顔用ミニエプロンの側面図であり、カチューシャタイプの支持部Ｂを首に装着した時、本体部Ａが胸部にピッタリそうように、本体部Ａと支持部Ｂとを立体形状に形成している。
【００１３】
本体部Aとカチューシャタイプの支持部Ｂとは、別々に作製して、本体部Ａの湾曲部１に支持部Ｂの一部を結合することも出来るが、防水性のある樹脂材（例えば、ポリプロピレン）を用いて一体成型によって形成するほうが、簡単に作れてコストが安くてできる。
【００１４】
図３、図４に示すように、本体部Ａの周縁２とカチューシャタイプの支持部Ｂの全体とを吸水性のある材質（例えば、タオル）で覆うように作製している。このように覆うことで洗顔時、本体部Ａの防水性のある樹脂材（例えば、ポリプロピレン）についた水滴や石鹸の泡が流れ落ちるのを本体部Ａの周縁２で吸収し、顎から首部へたれる水滴を支持部Ｂで吸収して、着衣が濡れるのを防ぐことができる。しかも、首にはめる支持部Ｂの全体を吸水性のある材質（例えば、タオル）で覆っていることでクッション効果になり、装着した時、首が痛くない。
【図面の簡単な説明】
【００１５】
【図１】洗顔用ミニエプロンの原型を示す平面図である。
【図２】洗顔用ミニエプロンの原型を示す側面図である。
【図３】洗顔用ミニエプロンの実施形態を示す斜視図である。
【図４】洗顔用ミニエプロンを装着した状態を示す斜視図である。
【符号の説明】
【００１６】
Ａ  本体部
Ｂ  支持部
１  湾曲部
２  周縁
【図１】
2007113139.tif 000003
【図２】
2007113139.tif 000004
【図３】
2007113139.tif 000005
【図４】
2007113139.tif 000006
(57)【要約】【課題】本発明は、レーザービームプリンタやレーザービーム複写機のレーザ走査用に使用されるポリゴンミラースキャナーモーターにおいて、流体軸受内部の作動油の流出または回転軸の上下挙動を防止することを目的とする。【解決手段】流体軸受の底部に軸受カバー２を取り付けることにより、圧力調整機構を負荷し、軸受作動油５が流体軸受の上部より流出または回転軸の上下挙動を防止することができる。【選択図】図１
2007113633.tif 000002
【特許請求の範囲】
【請求項１】
ポリゴンミラースキャナモータの流体軸受の底部を弾性材からなる軸受カバーで密封する構成であるポリゴンミラースキャナモータ。
【請求項２】
軸受カバーに肉厚が０．５〜２ｍｍである薄肉部を形成した請求項１記載のポリゴンミラースキャナモータ。
【請求項３】
軸受カバーが耐油性能の高い材料からなる請求項１記載、または請求項２記載のポリゴンミラースキャナモータ。
【請求項４】
軸受カバーが耐熱老化性能の高い材料からなる請求項１記載、または請求項２記載のポリゴンミラースキャナモータ。
【発明の詳細な説明】
【技術分野】
【０００１】
本発明はレーザプリンタ、レーザ複写機などのレーザ走査に用いられるポリゴンミラースキャナモータに関して、特に流体軸受内部の作動油の流出または回転軸の上下挙動を防止する構造を改善したものである。
【背景技術】
【０００２】
近年ポリゴンミラースキャナモータはより高速回転化、高寿命化が要求されている。その中でも流体軸受内部の作動油の流出または回転軸の上下挙動は寿命へ影響するため、大きな課題である。そこで作動油の流出または回転軸の上下挙動の防止対策として、種々の対策案が提案されているが、いずれもコストの大幅な上昇、工程数の増加などが課題となっている。
【０００３】
以下、従来のポリゴンミラースキャナモータにおいて、軸受作動油の流出を防止する方法について説明する。
【０００４】
従来の作動油の流出を防止する方法の一つに軸受上部をゲル状潤滑剤で封止する方法がある（例えば、特許文献１参照）。
【０００５】
以下、ゲル状潤滑剤封止方法について、図３の軸受装置を示す断面図を用いて説明する。１は軸受、３は回転軸で軸受１と回転軸３の間に軸受作動油５が存在する。この軸受上部の開口部と回転軸との隙間をゲル状潤滑剤８で介在させることにより、軸受上部の開口部より軸受作動油の流出を防止している。
【特許文献１】特開平１０−００９２５２号公報（第７項、図１）
【発明の開示】
【発明が解決しようとする課題】
【０００６】
しかしながら、上記従来の構成で用いられているゲル状潤滑剤方式では、回転によるゲル状潤滑剤の磨耗、又、磨耗部分の軸受作動油への混入による寿命の低下などの問題がある。
【０００７】
本発明は、このような従来の課題を解決するものであり、軸受底部に軸受けカバーを取り付けることにより、軸受の回転の影響を受けることなく、軸受上側開口部より軸受作動油が流出することを防止する機構を付加することを目的とする。
【課題を解決するための手段】
【０００８】
上記課題を解決するために本発明は、軸受底部に弾性材からなる軸受カバーを取り付け、軸受の底部を密閉したものである。
【発明の効果】
【０００９】
請求項１記載の発明によれば、軸受底部に弾性材からなる軸受カバーを取り付け、軸受の底部を密封することにより、作動油または回転軸が軸受上部に動こうとした場合、軸受カバーと軸受間および軸受と回転軸の作動油が介在しない空間が広がろうとするが、軸受カバーにより密封されているので空間が広がるにつれて内部の圧力が低下する。したがって軸受内部に負圧がかかることになり軸受内部に作動油または回転軸を引き込もうとする力が働く、この現象により軸受上部からの作動油の流出を防止することが出来る。
【００１０】
また、請求項２記載の発明によれば、０．５〜２ｍｍの薄肉部を形成することにより負
圧の大きさを適切に調整することができる。
【００１１】
また、請求項３記載の発明によれば、軸受カバーの材質を耐油性能の高い材料とすることにより、耐油性能を向上させることができる。
【００１２】
また、請求項４記載の発明によれば、軸受カバーの材質を耐熱老化性能の高い材料とすることにより、耐熱老化性能を向上させることができる。
【発明を実施するための最良の形態】
【００１３】
以下本発明を実施するための最良の形態について、図面を参照して説明する。
【００１４】
（実施の形態１）
図１、図２において、図３と同じ構成要素については同じ符号を用いる。１は軸受、２は軸受カバー、３は回転軸、５は軸受と回転軸間に介在する軸受作動油である。軸受底部にはスラストカバー４が存在するが、スラストカバーでは密封されていない。
【００１５】
軸受底部に軸受カバー２を取り付け、軸受１の底部を密封することにより、作動油または回転軸が軸受上部方向６に動こうとした場合、軸受カバーと軸受間および軸受と回転軸の作動油５が介在しない空間７が広がろうとするが、軸受カバーにより密封されているので空間が広がるにつれて内部の圧力が低下する。したがって軸受内部に負圧がかかることになり軸受内部に作動油または回転軸を引き込もうとする力が働く、この現象により軸受上部からの作動油５の流出を防止することが可能となる。また、薄肉部２ａの肉厚を０．５〜２ｍｍと適度に設定することにより、作動油が流出しようとする動きにあわせて、薄肉部が動き空間７が変化するため、負圧をほぼ一定の状態で保つことが出来る。また、機能的に、密封性および成形性の良い材料が軸受カバー２の弾性材として適当と考えられ、代表的なものとして、ＴＰＵ（ポリウレタン系熱可塑性エラストマー）、ＴＰＥＥ（ポリエステル系熱可塑性エラストマー）、ＮＲ（天然ゴム）、ＮＢＲ（ニトリルゴム）、ＣＲ（クロロプレンゴム）、ＥＰＤＭ（エチレンプロピレンゴム）などが挙げられる。
【００１６】
耐油性能を向上させる場合に使用される代表的な弾性材に、ＴＰＵ（ポリウレタン系熱可塑性エラストマー）、ＮＢＲ（ニトリルゴム）、ＣＲ（クロロプレンゴム）などが挙げられる。
【００１７】
耐熱老化性能を向上させる場合に使用される代表的な弾性材に、ＴＰＵ（ポリウレタン系熱可塑性エラストマー）、ＣＲ（クロロプレンゴム）などが挙げられる。
【産業上の利用可能性】
【００１８】
本発明のポリゴンミラースキャナモータは、軸受内部の作動油の流出または回転軸の上下挙動を、従来に比べて容易な方法で防止でき、且つポリゴンミラーの寿命を損なうことのないポリゴンミラースキャナモータとして有用である。
【図面の簡単な説明】
【００１９】
【図１】本発明の実施の形態１におけるポリゴンミラーモータと軸受カバーの取り付け状態を示す断面図
【図２】本発明の実施の形態１におけるポリゴンミラーモータと軸受カバーの動作説明図
【図３】従来の軸受装置の流出防止構造断面図
【符号の説明】
【００２０】
１  軸受
２  軸受カバー
２ａ  軸受カバー薄肉部
３  回転軸
４  スラストカバー
５  軸受作動油
６  流出（又は移動）方向
７  空間
８  ゲル状潤滑剤
【図１】
2007113633.tif 000003
【図２】
2007113633.tif 000004
【図３】
2007113633.tif 000005
(57)【要約】【課題】  側溝蓋等の上に車止め、表札、郵便ポスト等のポールを容易に設置する方法がない。【解決手段】  側溝蓋側面の手掛部の凹部へ図１の支軸１と下からの押え付け部２とからなる物を垂直に差込後、９０度回転させ、予め貫通させてある円盤状の上からの押え付け部６とで挟み込みます。支軸１には、ネジ山３と取っ手４等を付けているので、取っ手４等を手で持ち上げ、ナット状の機具８で締め付けるようにする。円盤状の上からの押え付け部６の側面７にはネジ山を設け、外側カバー９で、図１の取っ手４、ネジ山３、ナット状の機具８を覆い隠すように被せた後、外側カバー９を回転させて押え付け部側面のネジ山７と外側カバー下側裏のネジ山１０とで接合させる【選択図】図１
2007113370.tif 000002
【特許請求の範囲】
【請求項１】
側溝蓋の手掛部等へ支軸等を差込み９０度回転させ側溝蓋等を挟み込む、もしくは、圧着させる事で容易に取り外しが可能な車止め、表札、郵便ポスト等の簡易ポール設置方法
【発明の詳細な説明】
【技術分野】
【０００１】  本発明は、側溝蓋等の上に簡易的に設置する為の車止め、表札、郵便ポスト等のポールに関する。
【背景技術】
【０００２】  従来の車止め、表札、郵便ポスト等のポールは地中に埋め込むタイプがほとんどで、（例えば、非特許文献１参照。）取り外し可能で簡易的なポールを設置する方法がない。
【非特許文献１】「エクステリア総合カタログ２００４」，東洋エクステリア株式会社
【発明の開示】
【発明が解決しようとする課題】
【０００３】  従来の車止め、表札、郵便ポスト等のポールは地中に埋め込むタイプがほとんどで、部材、技術者の手配など設置の為の時間や費用がかかる。また、側溝蓋上に取り外し可能で簡易的なポールを設置する方法がない。
【課題を解決するための手段】
【０００４】  側溝蓋側面の手掛部の凹部へ図１の支軸１と下からの押え付け部２とからなる物を垂直に差込後、９０度回転させ、予め貫通させてある円盤状の上からの押え付け部６とで挟み込みます。支軸１には、ネジ山３と取っ手４等を付けているので、取っ手４等を手で持ち上げ、手掛部の凹部へ支軸の角状個所５を填め込み、支軸がぶれないようにした上でナット状の機具８で締め付けるようにする。【０００５】  ナット状の機具８には円形状の取っ手などを付け特別な工具がなくても回せるように配慮する。下からの押え付け部２は、側溝蓋側面の手掛部の凹部へ差し込める程度の大きさ（縦１０センチメートル、横２センチメートル、厚さ１センチメートル）程で、上面には滑り止め用の素材を付加している。同様に円盤状の上からの押え付け部６の下面には滑り止め用の素材を付加している。【０００６】  円盤状の上からの押え付け部６の側面７にはネジ山を設けている。また、図２の通り、円盤状の押え付け部６の下面には角状の突起物１１がついており、側溝蓋側面の手掛部の凹部にはまるようになっている。用途により樹脂素材、鋳物、アルミ等で作られた図３の外側カバー９下側の裏１０にはネジ山を設けているので、図１の取っ手４、ネジ山３、ナット状の機具８を覆い隠すように被せた後、外側カバー９を回転させて、押え付け部側面のネジ山７と外側カバー下側裏のネジ山１０とで接合させる。その際、角状の突起物１１が側溝蓋側面の手掛部の凹部にはまっている為、円盤状の上からの押え付け部６はぶれないようになっている。【０００７】  簡易ポールの具体的な設置手順については図４の通りであり、側溝蓋１２側面の手掛部の凹部１３へ、下からの押え付け部２が通るように向きを合わせ、支軸１を垂直に差込み後、支軸を９０度回転させ、手掛部の凹部へ支軸の角状個所５を填め込むように持ち上げ、円盤状の上からの押え付け部６とで側溝蓋を挟み込んだ状態で、ナット状の機具８で締め付け、設置した支軸１へ外側カバー９を覆い被せ取り付ける。
【発明の実施するための最良の形態】
【０００８】  本発明の実施の形態は図５、および、図６の通り。側溝蓋側面の手掛部の凹部へ、支軸１を取り付け後、外側カバー９や表札や郵便ポストが付いた外側カバー１６を支軸１に覆い被せ取り付ける。尚、図５の外側カバー９の上部につけたリング状の突起物１４は、簡易ポール取り付け後にチェーン等を引っ掛ける為のものです。
【発明の効果】
【０００９】  従来の車止め、表札、郵便ポスト等のポールは、地中へ埋め込むタイプで部材や専門技術者を手配しなければならない。また、側溝蓋上へ車止め、表札、郵便ポスト等のポールを簡単に設置する方法が無い。本発明だと特別な工具を必要とせず、工事中やセキュリティ上の理由から敷地内への進入を一時的に制限させたい時など、側溝蓋等の上へ簡単に車止め等のポールを取り付ける事が可能となる。
【図面の簡単な説明】
【００１０】
【図１】側溝蓋を挟み込む装置部分の外観斜視図
【図２】支軸に予め貫通させてある円盤状の押え付け部の下方からの斜視図
【図３】側溝蓋を挟み込む装置部分を覆うカバーの外観斜視図
【図４】車止め等、簡易ポールの設置手順の説明図
【図５】車止め等、簡易ポールの設置例を示した図
【図６】表札や郵便ポスト等、簡易ポールの設置例を示した図
【符号の説明】
【００１１】１  支軸
２  支軸に溶接されている下からの押え付け部
３  ネジ山
４  取っ手
５  側溝蓋側面の手掛部の凹部にはめ込む為の角状個所
６  支軸に予め貫通させてある円盤状の上からの押え付け部
７  支軸に予め貫通させてある円盤状の上からの押え付け部側面のネジ山
８  支軸に予め貫通させてあるナット状の機具
９  支軸上部を覆い隠すように被せる外側カバー
１０  外側カバー下側の裏のネジ山
１１  円盤状の上からの押え付け部裏側にある角状の突起物
１２  側溝蓋
１３  側溝蓋側面の手掛部の凹部
１４  外側カバー上部につけたリング状の突起物
１５  表札や郵便ポストが付いた外側カバー
【図１】
2007113370.tif 000003
【図２】
2007113370.tif 000004
【図３】
2007113370.tif 000005
【図４】
2007113370.tif 000006
【図５】
2007113370.tif 000007
【図６】
2007113370.tif 000008
(57)【要約】      （修正有）【課題】水周り機器で使用する液体供給器の取付根元部に付着した液体を排液部に誘導し排水する液体排除促進器具を提供する。【解決手段】液体排除促進器具を、液体供給器の取付根元部の周囲に囲むように設け、かつ液体供給器と取付壁面との両者に接触させる固定部と、一方が固定部に接続され、他方が排液口方向に向けられ、かつ取付壁面に接触された誘導部とから構成した。本構成により、液体供給器の根元部に付着した液体は、毛細管現象により、排液口に誘導される。【選択図】図３
2007113368.tif 000002
【特許請求の範囲】
【請求項１】
液体供給器の根元を囲むように設置された「固定部」。
片方が「固定部」に接続され、もう片方が排液口方向に向けられさらに液体供給器が設置された壁面（以後、壁面）に自身全体が面接触する「誘導部」。
以上の２つの部位「固定部」「誘導部」と「液体供給器」「壁面」との接触面付近で起きる液体の毛細管現象を利用した、液体排除促進器具。（図１参照）
【請求項２】
「請求項１」の液体排除促進器具の設計概念。
【発明の詳細な説明】
【技術分野】
【０００１】  この発明は、水周りの排水管理および衛生管理に関する
【背景技術】
【０００２】  水周りなどに見られる液体供給器は、使用中の水しぶきや、自身の液漏れなどで液体供給器自身の根元に液体が付着する。これは水回りの腐食や不衛生な環境の原因となる。
従来では、これらの現象を解消するため、水周りの設計そのものに工夫が行われている。もしくは使用者が清掃を行っている。
【発明の開示】
【発明が解決しようとする課題】
【０００３】  しかしながら以上の従来技術によれば、排水管理および衛生管理を行う為製品毎の設計・工夫の工程を要する。もしくは使用者の負担（頻繁な水周り清掃等）を要する。そこで、この発明は液体供給器に付着した液体を排除する事を課題とする。
【課題を解決するための手段】
【０００４】
【請求項１】
液体供給器の根元を囲むように設置された「固定部」。
片方が「固定部」に接続され、もう片方が排液口方向に向けられさらに液体供給器が設置された壁面（以後、壁面）に自身全体が面接触する「誘導部」。
以上の２つの部位「固定部」「誘導部」と「液体供給器」「壁面」との接触面付近で起きる液体の毛細管現象を利用した、液体排除促進器具。（図１参照）
【請求項２】
「請求項１」の液体排除促進器具の設計概念。
【発明の効果】
【０００５】  固定部は液体供給器の根元に設置される。
また接触面１（固定部・液体供給器間、および固定部・壁面間の接触面。図３参照）は毛細管現象によって最低限の量の液体を保持できる。
この時、誘導部の先端は常に排液口方向に向けられている。
また接触面２（誘導部・壁面間の接触面。図５参照）は毛細管現象によって最低限の量の液体を保持できる。
液体供給器付近に液体が付着し、さらに固定部と接触した場合
接触面１付近において毛細管現象が起き、この液体は接触面１全体に向かって伝わり始める。
この液体が接触面１・接触面２の接点に接触した場合
接触面２付近において毛細管現象が起き、この液体は接触面２全体に向かって伝わり始める。
これにより接触面２付近の液体の量が変化し、保持可能な最低限の量を超えた場合
超過分は自重により誘導部を離れ、排液口方向へ移動する
よって接触面１付近・接触面２付近では、固定部・誘導部のもたらす毛細管現象による最低限の量の液体のみが保持され、超過分の液体は液体供給器付近から排除される。
また、この最低限の量の液体は常温において蒸発を期待するのに充分少量と考えられ使用者の負担（頻繁な水周り清掃等）の頻度減少につながる。
【発明を実施するための最良の形態】
【０００６】柔軟で、接触面１・接触面２の面積を少なく出来る材料（タコ糸など）で引き解け結びを作り、輪の部分で水道の根元を締め付ける。余った部分は排水口に向けて垂らし壁面に面接触させる。この時点で、輪の部分が「固定部」となり、垂らした部分が「誘導部」となる。後は「発明の効果」の項目にある現象で、液体排除が促進される。
【図面の簡単な説明】
【０００７】
【図１】  液体排除促進器具の一例を示した図である。
【図２】  固定部の設置状態を示した図である。（側面視点）
【図３】  接触面１と液体を示した図である。
【図４】  誘導部の設置状態を示した図である。（側面視点）
【図５】  接触面２と液体を示した図である。
【図１】
2007113368.tif 000003
【図２】
2007113368.tif 000004
【図３】
2007113368.tif 000005
【図４】
2007113368.tif 000006
【図５】
2007113368.tif 000007
(57)【要約】【課題】従来のコンクリートモルタルは、素材の自然消耗、或は、変色劣化などから引き起こす物質の低下など、度合により解体処理が行われていた。素材として、強度と耐久を求められる物質であるが美的感覚はあまり要求されない。従って、一旦役目が終えると解体され廃棄物として処理される。現在、産業廃棄物が環境を阻害して環境悪化が横行していることから最小限に廃棄物を抑制する事が急務である。【解決手段】コンクリートモルタルの疲労による変色劣化やヒビ割れなどを、コンクリートモルタルを製造する原料の元であるセメントと水を１対５の割合で混合してセメントペーストを作りだす。セメントペーストをコンクリートモルタルの表面に塗布することにより、再びコンクリートモルタルの表面が復元することを発明した。復元するには塗装ハケを用いて塗布方法によりコンクリートモルタルを再起する。【選択図】図２
2007113381.tif 000002
【特許請求の範囲】
【請求項１】
自然消耗で変色劣化したコンクリートモルタルの復元であって、セメントと水を混合して作った混合液セメントペーストを塗布することを特徴とした塗布方法。
【発明の詳細な説明】
【技術分野】
【０００１】  本発明は、コンクリートやコンクリートブロックの表面が、自然劣化により汚れて変色したものを、塗布方法で復元することに関する。【０００２】  セメントは、水、砂利の混合により、コンクリートモルタルとして物理的一体性をもち主に、建築業、或は、建設業界で、構造物や壁面など、分野に応じて活用目的にあわせて作り出されている。セメントは、水、砂利の混合により融合され、液状から、その後は、乾燥し固体となる。固体となったセメント、砂利、水はコンクリートセメントとして性質を変え、強度と耐久性を増す。そのため多方面にわたり利用される。しかし、長期にわたり使用されると、表面が汚れ、または、黴などにより変色し劣化が始まる。元々、無配色で美的要素の低い物質であるため、更に、見栄えを落とす。当発明は、老化して自然変色になったコンクリートモルタルの表面に、セメントと水を混合した混合液を塗布することでコンクリートの表面の復元を図った塗布方法を発明した。
【背景技術】
【０００３】  従来は、コンクリートモルタルが変色をしても、自然劣化のまま使われていた。一度、変色すると洗浄しても、元のコンクリートモルタルの色に戻らない性質である。そのため美的を要求された場合、ペイントによる表面塗装か代替素材による方法で解決を図っる。【０００４】
【特許文献１】  特開２００３−１３６０８
【発明の開示】
【発明が解決しようとする課題】
【０００５】  自然劣化で変色したコンクリートモルタルは、特に手を加えられる事がなくそのまま使われることが一般的である。耐用年数、或は、見栄えが悪くなると、その後は、役目を終えたとの判断されれば解体されて残骸として処理される。コンクリートモルタルは、強度と耐久性に優れているが、一度、自然劣化による表面が変色をおこすと元に戻らない。劣化によりヒビ割れが生じると雨水が参入するなどして劣化を促進する。又、黴の発生などにより見栄えも悪くなることも大で、更に、補修が困難になる。本発明は、問題であるその表面の変色、又は、黴を処理して、本来コンクリートモルタルの長所である耐久性を更に生かし、より長期に渡り使用し、解体による残骸を減らし環境に優しく献立をする。【０００６】  本発明は、このような従来の有していた問題を解決しようとするものである。解決にあたっては、元々、コンクリートモルタル物体の原料であるセメントと水の配合で、コンクリートモルタルの表面の変色や黴を無くすことを実現して、環境に優しく復元することをを目的とするものである。
【課題を解決するための手段】
【０００７】  本発明は、上記目的を達成するために同質の素材であるセメントを用いることによる解決を図った。セメントは、水を加えて混合するとセメントペーストと称号される。以後、セメントペーストと表現する。コンクリートモルタルは、幾度なく濡れることを繰り返すと、雨、ほこり、黴等などの発生により変色する。一度、変色すると洗浄をしても表面の黴などは除去されても、黒ずみは残り、消え去らない。【０００８】  問題を解決するために、原料は、粉末状のセメントと水を混合して溶かし、液状化にしたセメントペーストを、変色したコンクリートモルタルの表面に、塗装ハケで塗布、又は塗装用電動吹き付け器具を使い上塗りをして仕上げる。セメントと水の混合比率は、セメント１に対して、水５の割合で混合する。混合することでセメントペーストが完成する【０００９】  コンクリートモルタルは、乾いていると水分の吸収力が強く、液状化の物質は中まで吸収される。セメントペーストは、液状なので乾いたコンクリートモルタルの表面に付着する直後からコンクリートモルタルの中へ浸透すると同時に、乾燥が始まる。元々、セメントペーストは、セメントモルタルの製作する原料である為、相性がよく、いったん付着すると、乾いた後は融合する。上記に述べたように、双方の特徴を発見し、年数を経て劣化していくコンクリートモルタルを抑制し、更に、耐久性をも延ばし、自然の中に調和させ素材の特性を生かし復元することを発明した。
【発明の効果】
【００１０】  近年、地球規模で自然界に存在するあらゆるものが環境問題の対象として議論されている。コンクリートモルタルにおいても例外ではない。人間とコンクリートモルタルは、自然界で共存する上で深い関わりを持つ物質として社会に受け入れられている。多くは、建築、建設等を通して人間の生活に密接している。【００１１】  産業廃棄物も年々増加をたどり社会問題になっている。コンクリートモルタルも用済みになった残骸は処理に困り、産業界全体のお荷物化として問題になっている。一部では、再利用されているものの十分とは言えず、適切な処理が行われず不法投棄があとをたたないのが実情である。【００１２】  廃棄なる要因には、無灰色のコンクリートモルタルの変色劣化、或は、ヒビ割れの発生よる見栄えの悪さなど、物質低下が産業廃棄物を作り出す元になっている。【００１３】  当該発明は、それらのコンクリートモルタルの変色劣化等など、元の無灰色に復元して本来、コンクリートモルタルの利点である耐久性を更に延ばす効果を図った。
【発明を実施するための最良の形態】
【００１４】  発明の実施の形態を実施例にもとづき図面を参照して説明をする。図１において、一例として、通常市販されているブロック材５を用いて説明をする。容器３にセメント１と水２をセメント１の割合に対して水５の１：５の割合で混合し、一定の濃度に粉末状から液状にしてセメントペーストを作りだす。【００１５】  図２において、容器３に液状に作り上げたセメントペーストを、上塗りハケ４を用いてブロック材５の表面に、塗布する。上塗りしたセメントペーストが乾いた時点で完成に至る。
【図面の簡単な説明】
【００１６】
【図１】  セメントペーストを作り出す実施過程
【図２】  本発明のブロックに塗布する上塗りハケの実施形態
【符号の説明】
【００１７】  １    セメント
２    水
３    容器
４    上塗りハケ
５    ブロック材
【図１】
2007113381.tif 000003
【図２】
2007113381.tif 000004